(57)【特許請求の範囲】
【請求項１】
通信ネットワークを通じて電子メールを受信する受信手段と、この受信手段が受信した電子メールから所定の文字列を検出する検出手段と、この検出手段が検出した所定の文字列に基づいて、自身の設定情報の変更を上記通信ネットワークを通じて行うためのテンプレートを、所定の送信先に電子メールとして送信する送信手段と、上記テンプレートが設定情報が記載されて返信されてきたときには、記載された設定情報を抽出して、自身の設定情報となす設定手段とを備えるインターネットファクシミリ装置。
【請求項２】
請求項１において、
上記テンプレートは、少なくとも、自身の現在の設定情報と、この設定情報の変更をするための変更コマンドとが記載されており、上記設定手段は、上記設定情報が編集されて返信されてきたときには、上記変更コマンドに基づいて、自身の設定情報を、編集された設定情報に変更するインターネットファクシミリ装置。
【請求項３】
請求項１において、
上記送信手段は、上記通信ネットワークを通じて受信した電子メールの送信元に基づいて認証を行い、認証したときには、上記テンプレートを所定の送信先に電子メールとして送信するインターネットファクシミリ装置。
【請求項４】
請求項２において、
上記設定手段は、上記テンプレートの設定情報が編集されて返信されてきたときには、その返信元に基づいて認証を行い、認証したときには、上記変更コマンドに基づいて、自身の設定情報を、編集された設定情報に変更するインターネットファクシミリ装置。
【請求項５】
請求項３において、
上記通信ネットワークを通じて受信した電子メールの送信元に上記テンプレートを送信する場合、上記送信手段は、上記送信元が自身の同一ドメインであるか否かを判別し、同一ドメインならばその送信元に上記テンプレートを送信する一方、同一ドメインでないならばその送信元に、暗号化されたテンプレートを送信するインターネットファクシミリ装置。
【発明の詳細な説明】
【０００１】
【発明の属する技術分野】
本発明は、通信ネットワーク上のクライアントとの間で電子メールの送受をする機能を備えるインターネットファクシミリ装置の改良に関する。
【０００２】
【従来の技術】
従来より、インターネットファクシミリ装置は、通信ネットワーク上のクライアントとの間で、メールサーバを通じて電子メールの送受をする機能を備えているが、この電子メール送受の機能を使用して、クライアント側から、ファクシミリサーバのＩＰアドレスや電子メールアドレスなどの各種設定情報を記載した電子メールをファクシミリサーバに送信することによって、インターネットファクシミリ装置側の機器設定を行えるようにしたものがある。
【０００３】
【発明が解決しようとする課題】
ところが、上記した従来のインターネットファクシミリ装置では、このインターネットファクシミリ装置の機器設定をするためには、クライアント側から送信する電子メールに、所定の書式に適合した設定情報を記載しなければならないため、その入力が面倒であり、書式を知らなければ機器設定ができないといった問題があった。
【０００４】
本発明は、上記事情を考慮してなされたものであり、クライアント側から電子メールを送信してインターネットファクシミリ装置の機器設定をする作業を、書式を知らないユーザでも、容易に行えることをできるようにしたインターネットファクシミリ装置を提供することを目的としている。
【０００５】
【課題を解決するための手段】
上記目的を達成するために、本発明の請求項１に記載のインターネットファクシミリ装置では、通信ネットワークを通じて電子メールを受信する受信手段と、この受信手段が受信した電子メールから所定の文字列を検出する検出手段と、この検出手段が検出した所定の文字列に基づいて、自身の設定情報の変更を通信ネットワークを通じて行うためのテンプレートを、所定の送信先に電子メールとして送信する送信手段と、テンプレートが設定情報が記載されて返信されてきたときには、記載された設定情報を抽出して、自身の設定情報となす設定手段とを備える。
【０００６】
請求項２に記載のインターネットファクシミリ装置では、テンプレートは、少なくとも、自身の現在の設定情報と、この設定情報の変更をするための変更コマンドとが記載されており、設定手段は、設定情報が編集されて返信されてきたときには、変更コマンドに基づいて、自身の設定情報を、編集された設定情報に変更する。
【０００７】
請求項３に記載のインターネットファクシミリ装置では、送信手段は、通信ネットワークを通じて受信した電子メールの送信元に基づいて認証を行い、認証したときには、テンプレートを所定の送信先に電子メールとして送信する。
【０００８】
請求項４に記載のインターネットファクシミリ装置では、設定手段は、テンプレートの設定情報が編集されて返信されてきたときには、その返信元に基づいて認証を行い、認証したときには、変更コマンドに基づいて、自身の設定情報を、編集された設定情報に変更する。
請求項５に記載のインターネットファクシミリ装置では、通信ネットワークを通じて受信した電子メールの送信元にテンプレートを送信する場合、送信手段は、送信元が自身の同一ドメインであるか否かを判別し、同一ドメインならばその送信元にテンプレートを送信する一方、同一ドメインでないならばその送信元に、暗号化されたテンプレートを送信する。
【０００９】
【発明の実施の形態】
以下に、本発明の実施の形態について、図面とともに説明する。図１は、本発明のインターネットファクシミリ装置１の要部構成の一例を示すブロック図である。図２は、本発明のインターネットファクシミリ装置１を用いて構成したファクシミリシステムの構成を示す図である。
【００１０】
インターネットファクシミリ装置１は、電話回線Ｌを接続するとともに、通信ネットワークとして、通信ネットワークの１つであるＬＡＮ（Ｎ）を接続しており、このＬＡＮ（Ｎ）には、図２に示すように、パーソナルコンピュータで構成されたクライアント２と、メールサーバ３と、インターネットとを接続している。
【００１１】
なお、ここでは、通信ネットワークとしてＬＡＮ（Ｎ）を示しているが、本発明はこの例に限られず、ＷＡＮや専用線などの他の種類のネットワーク、あるいは、ＬＡＮ（Ｎ）とインターネットとの組み合わせといったような、複数種類のネットワークを組み合わせたもので構成してもよい。
【００１２】
インターネットファクシミリ装置１は、公衆回線網（ＰＳＴＮ）やＬＡＮ（Ｎ）を通じて受信した画像データを、所定のプロトコルに従って、クライアント２や、公衆回線網に接続された他のファクシミリ装置や、インターネットに接続された他のファクシミリ装置に配信することができる。また、インターネットファクシミリ装置１で読みとった画像データを、所定のプロトコルに従って、クライアント２や、公衆回線網に接続された他のファクシミリ装置や、インターネットに接続された他のファクシミリ装置に送信することができる。
【００１３】
また、インターネットファクシミリ装置１は、メールサーバ３と所定のプロトコルに従った通信をすることによって、自身のメールアドレスが指定され、メールサーバ３に格納された電子メールを受信したり、メールサーバ３に、送信先のメールアドレスを指定した電子メールを格納させることができる。
【００１４】
これにより、インターネットファクシミリ装置１は、メールサーバ３を通じて、クライアント２やインターネット上の他のメールサーバに対して電子メールを送信したり、クライアント２やインターネット上の他のメールサーバから電子メールを受信することができる。
【００１５】
インターネットファクシミリ装置１は、図１に示すように、以下の各部を制御するＣＰＵ１０と、装置１自身のＩＰアドレスやメールアドレスなどの各種設定情報を記憶するＲＡＭ１１と、制御プログラムなどを予め記憶したＲＯＭ１２と、原稿から画像データを読み取り、画像データに変換するスキャナ１３と、データを所定の記録紙に記録するプリンタ１４と、電話回線Ｌに対する接続制御をするＮＣＵ１５と、ファクシミリ通信に必要な各種信号を変復調するモデム１６と、液晶画面や各種操作キーなどで構成される操作パネル１７と、データをファクシミリ通信のためにＭＨ，ＭＲ，ＭＭＲ方式などで符号化および復号するＣＯＤＥＣ１８と、ＬＡＮ（Ｎ）をイーサネットなどの規格に準じて接続するＬＡＮインタフェース１９とを備える。
【００１６】
このような構成によれば、クライアント２側から電子メールを送信して、ＲＡＭ１１の記憶内容を設定する作業が、設定のための書式を知らないユーザでも、容易にできるようにしたことを特徴としている。これについて、図３のフローチャートとともに説明する。
【００１７】
すなわち、インターネットファクシミリ装置１は、クライアント２からメールサーバ３を通じて電子メールを受信すると（１００）、その電子メールが、テンプレートの送信を要求するテンプレート要求メール（図４参照）であるかを、後述する所定の文字列の有無によって判別する（１０１）。
【００１８】
図４は、テンプレート要求メールの一例を示しており、クライアント２側では、電子メール作成時に、インターネットファクシミリ装置１のメールアドレス２０を指定し、そして、インターネットファクシミリ装置１に検出させるべく、所定の文字列として「ＧＥＴ  ＴＥＭＰＬＡＴＥ＃０１」という要求コマンド２１を、題名もしくは本文中に記載している。また、システムのセキュリティー対策として、要求するテンプレートに対応するパスワード２２も記載している。
【００１９】
なお、要求コマンド２１に含まれる「＃０１」という文字列は、装置１の設定情報の種別を指定する種別コードであり、インターネットファクシミリ装置１は、この種別コードに基づいた設定情報を記載したテンプレートを、後述する処理において送信する。
【００２０】
そして、インターネットファクシミリ装置１は、受信した電子メールがテンプレート要求メールであれば、そのメールに記載のパスワード２２を基にしてクライアント２の認証をする（１０２）。
【００２１】
なお、この認証は、テンプレート要求メール記載の送信元メールアドレスが予め登録されたメールアドレスと完全一致するか、または、送信元メールアドレスのドメインが予め登録されたドメインと一致するかによって行ってもよい。
【００２２】
この認証を得て、インターネットファクシミリ装置１は、指定された種別コードに応じたテンプレート（図５参照）を生成する（１０３）。
【００２３】
図５は、テンプレートの一例を示しており、インターネットファクシミリ装置１では、指定された種別コード「＃０１」に対応する「ＴＥＭＰＬＡＴＥ＃０１」というコマンドが、設定情報変更コマンド２３として記載され、その種別に対応する現在の設定情報２４が記載されている。なお、現在の設定情報の他、変更可能な値を記載してもよい。
【００２４】
また、システムのセキュリティー対策として、このテンプレートに対応するパスワード２５も記載している。ここで、パスワード２５は、先述したパスワード２２と内容は同一であるが、これは、テンプレート毎にパスワードを設定しているためである。
【００２５】
ここで、このテンプレートでは、変更コマンド２３、設定情報２４、パスワード２５は、電子メールの本文中に記載しているが、添付ファイルとして添付されるものであってもよい。
【００２６】
後述する処理によってこの設定メールを受信したクライアント２では、記載されている設定情報を編集して、編集したメールを設定メールとしてインターネットファクシミリ装置１に返信するだけで、装置１の設定情報の変更ができる。
【００２７】
そして、テンプレート要求メールに返信先アドレスが指定されていれば（図４には不図示）、そのアドレスを送信先とする一方（１０５）、返信先アドレスが指定されていなければ、要求メールの送信元アドレスを送信先とする（１０６）。
【００２８】
ついで、送信先としたアドレスが装置１自身と同一ドメインかを判別し（１０７）、同一ドメインであればテンプレートをそのまま電子メールとして送信する一方（１０８）、同一ドメインでなければテンプレートを、ＩＤ−ＮＩＫＳなどの暗号化方式によって暗号化して、電子メールとして送信する（１０９，１０８）。
【００２９】
なお、テンプレートの暗号化は、全テンプレートに対して行ってもよいし、テンプレートの送信先としたメールアドレス、または、そのメールアドレスのドメインに基づいて行うようにしてもよい。
【００３０】
一方、インターネットファクシミリ装置１は、受信した電子メールがテンプレート要求メールではなく、先述した設定メールであれば（１１０）、設定メールのパスワード２５を元にして認証を行う（１１１）。
【００３１】
なお、この認証も、設定メール記載の送信元メールアドレスが予め登録されたメールアドレスと完全一致するか、または、送信元メールアドレスのドメインが予め登録されたドメインと一致するかによって行ってもよい。
【００３２】
そして、受信した設定メールが暗号化されたものであれば復号して（１１２，１１３）、設定メールに記載された設定情報に自身の設定情報を合わせる変更を行い（１１４）、それが完了すれば完了通知を、設定メールの送信元に送信する（１１５）。
【００３３】
なお、上記した実施の形態によれば、インターネットファクシミリ装置１は、クライアント２からの種別コード指定に基づいたテンプレートを送信するようにしているが、本発明はこの例に限られず、複数のテンプレートを、それぞれ対応する設定種別に応じて予めグループ分けし、それぞれのグループ別にグループコードを割り付けておき、クライアント２から指定されたグループコードの全テンプレートを送信するようにしてもよい。こうすれば、クライアント２では、指定したグループのテンプレートから必要なものをピックアップして使用することができる。
【００３４】
【発明の効果】
以上の説明からも理解できるように、本発明の請求項１に記載のインターネットファクシミリ装置では、自身の設定情報の変更を通信ネットワークを通じて行うためのテンプレートを、所定の送信先に電子メールとして送信するので、クライアント側から電子メールを送信してインターネットファクシミリ装置の機器設定をする作業を、書式を知らないユーザでも、容易に行うことができる。
【００３５】
請求項２に記載のインターネットファクシミリ装置では、テンプレートには、少なくとも、自身の現在の設定情報と、自身の設定情報を変更するための変更コマンドとが記載されており、設定情報が編集されて返信されたときには、変更コマンドに基づいて、自身の設定情報を、編集された設定情報に変更するので、クライアント側では、受信したテンプレートに記載された設定情報を編集して返信するだけで、インターネットファクシミリ装置の設定情報を変更することができ、極めて利便である。
【００３６】
請求項３に記載のインターネットファクシミリ装置では、通信ネットワークを通じて受信した電子メールの送信元に基づいて認証を行い、認証したときには、テンプレートを所定の送信先に電子メールとして送信するので、テンプレートの送信先を限定でき、そのため、セキュリティー対策上有益である。
【００３７】
請求項４に記載のインターネットファクシミリ装置では、テンプレートの設定情報が編集されて返信されたときには、その返信元に基づいて認証を行い、認証したときには、上記変更コマンドに基づいて、自身の設定情報を、編集された設定情報に変更するので、テンプレートが不正に転送されたときなど、不正な装置からの設定変更を防止することができ、セキュリティー対策上有益である。
【図面の簡単な説明】
【図１】本発明のインターネットファクシミリ装置の要部構成の一例を示す図である。
【図２】インターネットファクシミリ装置を用いて構成したファクシミリシステムの構成を示す図である。
【図３】インターネットファクシミリ装置の動作の一例について説明するためのフローチャートである。
【図４】テンプレート要求メールの一例を示す図である。
【図５】テンプレートの一例を示す図である。
【符号の説明】
１・・・インターネットファクシミリ装置
１０・・・ＣＰＵ
１９・・・ＬＡＮインタフェース
２１・・・テンプレート要求コマンド
２３・・・変更コマンド
２４・・・現在の設定情報
Ｎ・・・ＬＡＮ
【図１】
0003622050.tif 000002
【図２】
0003622050.tif 000003
【図３】
0003622050.tif 000004
【図４】
0003622050.tif 000005
【図５】
0003622050.tif 000006